(57)【要約】【課題】組合せ作業を効率的に行うことができる衛星通信方式を提供する。【解決手段】衛星が複数存在する場合、屋外装置１は複数存在し、各屋外装置１は、衛星回線を介して各衛星に接続される。各衛星によって周波数、送信電力のレベルが異なるため、各屋外装置１の単体試験を予めに行い、その試験の結果として、屋外装置１毎の周波数、送信電力のレベルを設定周波数、設定レベルとし、設定周波数と設定レベルとを対応付ける補正データ３を屋内装置２の格納部４に格納しておく。屋内装置２は、補正データ３を基に各屋外装置１に送信するレベルを補正（調整）する。このため、本発明では、屋内装置２と各屋外装置１とを組合せて全ての設定周波数、設定レベルを得る必要がない。したがって、本発明では、各屋外装置１の単体試験で設定周波数、設定レベルを取得するだけでよく、組合せ作業を行うことなく、送信電力のレベルを補正（調整）することができる。【選択図】　図２
2004120266.tif 000002
【特許請求の範囲】
【請求項１】
通信回線を介して接続された屋内装置と屋外装置とを具備し、
前記屋内装置は、
送信データを前記屋外装置に送信するための送信電力のレベルを変調する変調部と、
設定周波数と設定レベルとを対応付ける補正データが複数格納された格納部と、
外部からの周波数を表す周波数情報から、前記格納部を参照して前記複数の補正データのうちの１つを選択する選択部と、
前記レベルを前記選択された補正データの前記設定レベルに調整するための調整値を算出する算出部と、
前記調整値に基づいて前記レベルを調整して前記屋外装置に送信するレベル制御部とを備え、
前記屋外装置は、アンテナを有し、前記レベル制御部からの前記レベルを前記周波数に変換して前記アンテナを介して衛星に送信する
衛星通信方式。
【請求項２】
通信回線を介して接続された屋内装置と屋外装置と、前記屋内装置に接続された記憶装置とを具備し、
前記記憶装置には、設定周波数と設定レベルとを対応付ける補正データが複数格納され、
前記屋内装置は、
送信データを前記屋外装置に送信するための送信電力のレベルを変調する変調部と、
外部からの周波数を表す周波数情報から、前記記憶装置を参照して前記複数の補正データのうちの１つを選択する選択部と、
前記レベルを前記選択された補正データの前記設定レベルに調整するための調整値を算出する算出部と、
前記調整値に基づいて前記レベルを調整して前記屋外装置に送信するレベル制御部とを備え、
前記屋外装置は、アンテナを有し、前記レベル制御部からの前記レベルを前記周波数に変換して前記アンテナを介して衛星に送信する
衛星通信方式。
【請求項３】
送信電力のレベルを周波数に変換してアンテナを介して衛星に送信する屋外装置に通信回線を介して接続された、衛星通信用の屋内装置であって、
送信データを前記屋外装置に送信するための前記レベルを変調する変調部と、設定周波数と設定レベルとを対応付ける補正データが複数格納された格納部と、
外部からの周波数を表す周波数情報から、前記格納部を参照して前記複数の補正データのうちの１つを選択する選択部と、
前記レベルを前記選択された補正データの前記設定レベルに調整するための調整値を算出する算出部と、
前記調整値に基づいて前記レベルを調整して前記屋外装置に送信するレベル制御部とを具備する
衛星通信用の屋内装置。
【請求項４】
送信電力のレベルを周波数に変換してアンテナを介して衛星に送信する屋外装置に通信回線を介して接続され、設定周波数と設定レベルとを対応付ける補正データが複数格納された記憶装置に接続された衛星通信用の屋内装置であって、
送信データを前記屋外装置に送信するための前記レベルを変調する変調部と、外部からの周波数を表す周波数情報から、前記記憶装置を参照して、前記複数の補正データのうちの１つを選択する選択部と、
前記レベルを前記選択された補正データの前記設定レベルに調整するための調整値を算出する算出部と、
前記調整値に基づいて前記レベルを調整して前記屋外装置に送信するレベル制御部とを具備する
衛星通信用の屋内装置。
【発明の詳細な説明】
【０００１】
【発明の属する技術分野】
本発明は、衛星通信方式に関し、特に、送信電力を制御する衛星通信方式に関する。
【０００２】
【従来の技術】
衛星通信を行うために、送信電力を制御する技術が知られている（例えば、特許文献１、特許文献２、特許文献３、特許文献４、特許文献５、特許文献６参照。）。
【０００３】
送信電力を制御するような衛星通信方式は、屋外装置（Ｏｕｔ　Ｄｏｏｒ　Ｕｎｉｔ）と、屋内装置（Ｉｎ　Ｄｏｏｒ　Ｕｎｉｔ）とを具備する。衛星が複数存在する場合、屋外装置（ＯＤＵ）は複数存在し、各ＯＤＵは、衛星回線を介して各衛星に接続される。屋内装置（ＩＤＵ）は、通信回線を介して各ＯＤＵと接続され（組合され）、各ＯＤＵと電力の送受信を行う。
【０００４】
各ＯＤＵは、ＩＤＵからの送信電力のレベルを周波数に変換し、且つ固定の利得（ゲイン）で増幅して、各衛星に送信（出力）するものである。このゲインは、衛星に送信するときの周波数により決定される。従来では、全ての周波数で安定した出力を得るために、ＩＤＵと各ＯＤＵとを組合せて、その周波数を把握し、送信電力のレベルを補正（調整）している。
【０００５】
しかしながら、各衛星によって周波数、送信電力のレベルが異なるため、従来の衛星通信方式では、ＩＤＵと各ＯＤＵとを組合せて全てのデータ（周波数、送信電力のレベル）を取得するための組合せ作業（ＩＤＵと各ＯＤＵとを通信回線を介して組合せる作業）が必要になっていた。
【０００６】
また、従来の衛星通信方式では、組合せ作業を効率的に行うには、ＩＤＵ−各ＯＤＵ間に何らかの通信手段が必要になる。これは、Ｋｕ帯のように送信帯域が５００ＭＨｚもあり、周波数が設定されるチャンネルステップが２．５ＫＨｚであり、更に、設定されるレベルが細かい場合（多い場合）、組合せ工数が膨大なものとなってしまうため、組合せ作業を実施して全てのデータ（周波数、送信電力のレベル）を取得するための作業コストが増大してしまう。
【０００７】
また、従来の衛星通信方式では、組合せ作業を効率的に行うには、ハード構成の増加を招いてしまう。ハード構成とは、例えば、ＯＤＵがＩＤＵに電力を送信（出力）するときの送信電力のレベルを補正するための出力レベル補正回路、ＩＤＵがＯＤＵに電力を送信（出力）するときの送信電力のレベルや上記の周波数等の設定値を通知するための設定値通知機能、等が挙げられる。このように、従来の衛星通信方式では、ＯＤＵとＩＤＵとを作製するための装置コストが増大してしまう。
【０００８】
【特許文献１】
特開平６−２６８５３５号公報
【特許文献２】
特開平４−３５１０２１号公報
【特許文献３】
特開平５−２８４０７１号公報
【特許文献４】
特開平５−２５２０８６号公報
【特許文献５】
特開２０００−１８３７９８号公報
【特許文献６】
特開平２−１７０６２８号公報
【０００９】
【発明が解決しようとする課題】
本発明の目的は、組合せ作業を行うことなく、送信電力のレベルを補正（調整）することができる衛星通信方式を提供することにある。
本発明の他の目的は、作業コストを低減することができる衛星通信方式を提供することにある。
本発明の更に他の目的は、装置コストを低減することができる衛星通信方式を提供することにある。
【００１０】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１１】
本発明（第１実施形態）の衛星通信方式は、屋内装置（２）と屋外装置（１）とを具備する。屋内装置（２）と屋外装置（１）とは、通信回線（１０）を介して接続される（組合される）。屋内装置（２）は、変調部（７）と格納部（４）と選択部（１１）と算出部（１２）とレベル制御部（８）とを備えている。変調部（７）は、送信データを屋外装置（１）に送信するための送信電力のレベルを変調する。格納部（４）には、設定周波数と設定レベルとを対応付ける補正データ（３）が複数格納されている。選択部（１１）は、外部からの周波数を表す周波数情報から、格納部（４）を参照して複数の補正データ（３）のうちの１つを選択する。算出部（１２）は、変調部（７）により変調されたレベルを選択部（１１）により選択された補正データ（３）の設定レベルに調整するための調整値を算出する。レベル制御部（８）は、調整値に基づいて、変調部（７）により変調されたレベルを調整して屋外装置（１）に送信する。屋外装置（１）は、アンテナ（９）を有し、レベル制御部（８）からのレベルを周波数に変換してアンテナ（９）を介して衛星（２０）に送信する。
本発明（第１実施形態）の衛星通信方式において、衛星（２０）が複数存在する場合、屋外装置（１）は複数存在し、各屋外装置（１）は、衛星回線（３０）を介して各衛星（２０）に接続される。各衛星（２０）によって周波数、送信電力のレベルが異なるため、屋内装置（２）と各屋外装置（１）との組合せを行う前に｛屋内装置（２）と各屋外装置（１）とを設置する前に｝、各屋外装置（１）の単体試験を予めに行い、その試験の結果として、屋外装置（１）毎の周波数、送信電力のレベルを取得しておく。取得した屋外装置（１）毎の周波数、送信電力のレベルのそれぞれをそれぞれ設定周波数、設定レベルとし、設定周波数と設定レベルとを対応付ける補正データ（３）（周波数−送信電力のレベルの特性）を屋内装置（２）の格納部（４）に格納しておく。このように、格納部（４）には、補正データ（３）が複数格納される｛屋外装置（１）毎の補正データ（３）が格納される｝。
【００１２】
本発明（第１実施形態）の衛星通信方式では、屋内装置（２）が、補正データ（３）を基に各屋外装置（１）に送信（出力）するレベルを補正（調整）することができる。このため、本発明（第１実施形態）の衛星通信方式では、屋内装置（２）と各屋外装置（１）とを組合せて全てのデータ｛周波数（設定周波数）、送信電力のレベル（設定レベル）｝を取得するための組合せ作業を行う必要がない。したがって、本発明（第１実施形態）の衛星通信方式では、各屋外装置（１）の単体試験で設定周波数、設定レベルを取得するだけでよく、組合せ作業を行うことなく、送信電力のレベルを補正（調整）することができる。
また、本発明（第１実施形態）の衛星通信方式では、屋内装置（２）と各屋外装置（１）とを組合せて全てのデータ｛周波数（設定周波数）、送信電力のレベル（設定レベル）｝を取得する必要がなく、各屋外装置（１）の単体試験で設定周波数、設定レベルを取得するだけでよいため、作業コストを低減することができる。
また、本発明（第１実施形態）の衛星通信方式では、補正データ（３）が屋内装置（２）の格納部（４）に格納され、屋内装置（２）が補正データ（３）を基に各屋外装置（１）に送信（出力）するレベルを補正（調整）するため、従来のようなハード構成（出力レベル補正回路、設定値通知機能、等）が不要になる。このため、本発明（第１実施形態）の衛星通信方式では、屋外装置（１）と屋内装置（２）とを作製するための装置コストを低減することができる。
【００１３】
本発明（第２実施形態）の衛星通信方式は、屋内装置（２）と屋外装置（１）と記憶装置（４）とを具備する。屋内装置（２）と屋外装置（１）とは、通信回線（１０）を介して接続される（組合される）。記憶装置（４）は、屋内装置（２）に接続されている。記憶装置（４）には、設定周波数と設定レベルとを対応付ける補正データ（３）が複数格納されている。屋内装置（２）は、変調部（７）と選択部（１１）と算出部（１２）とレベル制御部（８）とを備えている。変調部（７）は、送信データを屋外装置（１）に送信するための送信電力のレベルを変調する。選択部（１１）は、外部からの周波数を表す周波数情報から、記憶装置（４）を参照して複数の補正データ（３）のうちの１つを選択する。算出部（１２）は、変調部（７）により変調されたレベルを選択部（１１）により選択された補正データ（３）の設定レベルに調整するための調整値を算出する。レベル制御部（８）は、調整値に基づいて、変調部（７）により変調されたレベルを調整して屋外装置（１）に送信する。屋外装置（１）は、アンテナ（９）を有し、レベル制御部（８）からのレベルを周波数に変換してアンテナ（９）を介して衛星（２０）に送信する。
本発明（第２実施形態）の衛星通信方式において、衛星（２０）が複数存在する場合、屋外装置（１）は複数存在し、各屋外装置（１）は、衛星回線（３０）を介して各衛星（２０）に接続される。各衛星（２０）によって周波数、送信電力のレベルが異なるため、屋内装置（２）と各屋外装置（１）との組合せを行う前に｛屋内装置（２）と各屋外装置（１）とを設置する前に｝、各屋外装置（１）の単体試験を予めに行い、その試験の結果として、屋外装置（１）毎の周波数、送信電力のレベルを取得しておく。取得した屋外装置（１）毎の周波数、送信電力のレベルのそれぞれをそれぞれ設定周波数、設定レベルとし、設定周波数と設定レベルとを対応付ける補正データ（３）（周波数−送信電力のレベルの特性）を記憶装置（４）に格納しておく。このように、記憶装置（４）には、補正データ（３）が複数格納される｛屋外装置（１）毎の補正データ（３）が格納される｝。
【００１４】
本発明（第２実施形態）の衛星通信方式では、屋内装置（２）が、補正データ（３）を基に各屋外装置（１）に送信（出力）するレベルを補正（調整）することができる。このため、本発明（第２実施形態）の衛星通信方式では、屋内装置（２）と各屋外装置（１）とを組合せて全てのデータ｛周波数（設定周波数）、送信電力のレベル（設定レベル）｝を取得するための組合せ作業を行う必要がない。したがって、本発明（第２実施形態）の衛星通信方式では、各屋外装置（１）の単体試験で設定周波数、設定レベルを取得するだけでよく、組合せ作業を行うことなく、送信電力のレベルを補正（調整）することができる。
また、本発明（第２実施形態）の衛星通信方式では、屋内装置（２）と各屋外装置（１）とを組合せて全てのデータ｛周波数（設定周波数）、送信電力のレベル（設定レベル）｝を取得する必要がなく、各屋外装置（１）の単体試験で設定周波数、設定レベルを取得するだけでよいため、作業コストを低減することができる。
また、本発明（第２実施形態）の衛星通信方式では、補正データ（３）が記憶装置（４）に格納され、屋内装置（２）が補正データ（３）を基に各屋外装置（１）に送信（出力）するレベルを補正（調整）するため、従来のようなハード構成（出力レベル補正回路、設定値通知機能、等）が不要になる。このため、本発明（第２実施形態）の衛星通信方式では、屋外装置（１）と屋内装置（２）とを作製するための装置コストを低減することができる。
【００１５】
本発明（第１実施形態）の衛星通信用の屋内装置（２）は、屋外装置（１）に通信回線（１０）を介して接続される（組合される）。屋外装置（１）は、送信電力のレベルを周波数に変換してアンテナ（９）を介して衛星（２０）に送信するものである。この屋内装置（２）は、変調部（７）と格納部（４）と選択部（１１）と算出部（１２）とレベル制御部（８）とを具備する。変調部（７）は、送信データを屋外装置（１）に送信するためのレベルを変調する。格納部（４）には、設定周波数と設定レベルとを対応付ける補正データ（３）が複数格納されている。選択部（１１）は、外部からの周波数を表す周波数情報から、格納部（４）を参照して複数の補正データ（３）のうちの１つを選択する。算出部（１２）は、変調部（７）により変調されたレベルを選択部（１１）により選択された補正データ（３）の設定レベルに調整するための調整値を算出する。レベル制御部（８）は、調整値に基づいて、変調部（７）により変調されたレベルを調整して屋外装置（１）に送信する。
本発明（第１実施形態）の屋内装置（２）において、衛星（２０）が複数存在する場合、屋外装置（１）は複数存在し、各屋外装置（１）は、衛星回線（３０）を介して各衛星（２０）に接続される。各衛星（２０）によって周波数、送信電力のレベルが異なるため、屋内装置（２）と各屋外装置（１）との組合せを行う前に｛屋内装置（２）と各屋外装置（１）とを設置する前に｝、各屋外装置（１）の単体試験を予めに行い、その試験の結果として、屋外装置（１）毎の周波数、送信電力のレベルを取得しておく。取得した屋外装置（１）毎の周波数、送信電力のレベルのそれぞれをそれぞれ設定周波数、設定レベルとし、設定周波数と設定レベルとを対応付ける補正データ（３）（周波数−送信電力のレベルの特性）を屋内装置（２）の格納部（４）に格納しておく。このように、格納部（４）には、補正データ（３）が複数格納される｛屋外装置（１）毎の補正データ（３）が格納される｝。
【００１６】
本発明（第１実施形態）の屋内装置（２）は、補正データ（３）を基に各屋外装置（１）に送信（出力）するレベルを補正（調整）することができる。このため、本発明（第１実施形態）の衛星通信方式では、屋内装置（２）と各屋外装置（１）とを組合せて全てのデータ｛周波数（設定周波数）、送信電力のレベル（設定レベル）｝を取得するための組合せ作業を行う必要がない。したがって、本発明（第１実施形態）の屋内装置（２）では、各屋外装置（１）の単体試験で設定周波数、設定レベルを取得するだけでよく、組合せ作業を行うことなく、送信電力のレベルを補正（調整）することができる。
また、本発明（第１実施形態）の屋内装置（２）では、屋内装置（２）と各屋外装置（１）とを組合せて全てのデータ｛周波数（設定周波数）、送信電力のレベル（設定レベル）｝を取得する必要がなく、各屋外装置（１）の単体試験で設定周波数、設定レベルを取得するだけでよいため、作業コストを低減することができる。
また、本発明（第１実施形態）の屋内装置（２）では、補正データ（３）が屋内装置（２）の格納部（４）に格納され、屋内装置（２）が補正データ（３）を基に各屋外装置（１）に送信（出力）するレベルを補正（調整）するため、従来のようなハード構成（出力レベル補正回路、設定値通知機能、等）が不要になる。このため、本発明（第１実施形態）の屋内装置（２）では、屋外装置（１）と屋内装置（２）とを作製するための装置コストを低減することができる。
【００１７】
本発明（第２実施形態）の衛星通信用の屋内装置（２）は、屋外装置（１）に通信回線（１０）を介して接続され（組合され）、記憶装置（４）に接続されている。屋外装置（１）は、送信電力のレベルを周波数に変換してアンテナ（９）を介して衛星（２０）に送信するものである。記憶装置（４）には、設定周波数と設定レベルとを対応付ける補正データ（３）が複数格納されている。この屋内装置（２）は、変調部（７）と選択部（１１）と算出部（１２）とレベル制御部（８）とを具備する。変調部（７）は、送信データを屋外装置（１）に送信するためのレベルを変調する。選択部（１１）は、外部からの周波数を表す周波数情報から、記憶装置（４）を参照して、複数の補正データ（３）のうちの１つを選択する。算出部（１２）は、変調部（７）により変調されたレベルを、選択部（１１）により選択された補正データ（３）の設定レベルに調整するための調整値を算出する。レベル制御部（８）は、調整値に基づいて、変調部（７）により変調されたレベルを調整して屋外装置（１）に送信する。
本発明（第２実施形態）の屋内装置（２）において、衛星（２０）が複数存在する場合、屋外装置（１）は複数存在し、各屋外装置（１）は、衛星回線（３０）を介して各衛星（２０）に接続される。各衛星（２０）によって周波数、送信電力のレベルが異なるため、屋内装置（２）と各屋外装置（１）との組合せを行う前に｛屋内装置（２）と各屋外装置（１）とを設置する前に｝、各屋外装置（１）の単体試験を予めに行い、その試験の結果として、屋外装置（１）毎の周波数、送信電力のレベルを取得しておく。取得した屋外装置（１）毎の周波数、送信電力のレベルのそれぞれをそれぞれ設定周波数、設定レベルとし、設定周波数と設定レベルとを対応付ける補正データ（３）（周波数−送信電力のレベルの特性）を記憶装置（４）に格納しておく。このように、記憶装置（４）には、補正データ（３）が複数格納される｛屋外装置（１）毎の補正データ（３）が格納される｝。
【００１８】
本発明（第２実施形態）の屋内装置（２）は、補正データ（３）を基に各屋外装置（１）に送信（出力）するレベルを補正（調整）することができる。このため、本発明（第２実施形態）の屋内装置（２）では、屋内装置（２）と各屋外装置（１）とを組合せて全てのデータ｛周波数（設定周波数）、送信電力のレベル（設定レベル）｝を取得するための組合せ作業を行う必要がない。したがって、本発明（第２実施形態）の屋内装置（２）では、各屋外装置（１）の単体試験で設定周波数、設定レベルを取得するだけでよく、組合せ作業｛屋内装置（２）と各屋外装置（１）とを組合せる作業｝を効率的に行うことができる。
また、本発明（第２実施形態）の屋内装置（２）では、屋内装置（２）と各屋外装置（１）とを組合せて全てのデータ｛周波数（設定周波数）、送信電力のレベル（設定レベル）｝を取得する必要がなく、各屋外装置（１）の単体試験で設定周波数、設定レベルを取得するだけでよいため、作業コストを低減することができる。
また、本発明（第２実施形態）の屋内装置（２）では、補正データ（３）が記憶装置（４）に格納され、屋内装置（２）が補正データ（３）を基に各屋外装置（１）に送信（出力）するレベルを補正（調整）するため、従来のようなハード構成（出力レベル補正回路、設定値通知機能、等）が不要になる。このため、本発明（第２実施形態）の屋内装置（２）では、屋外装置（１）と屋内装置（２）とを作製するための装置コストを低減することができる。
【００１９】
【発明の実施の形態】
添付図面を参照して、本発明による衛星通信方式の実施の形態を以下に説明する。
【００２０】
（第１実施形態）
図１は、本発明の第１実施形態の衛星通信方式の構成を示す。第１実施形態の衛星通信方式は、複数の屋外装置（Ｏｕｔ　Ｄｏｏｒ　Ｕｎｉｔ）１と、屋内装置（Ｉｎ　Ｄｏｏｒ　Ｕｎｉｔ）２とを具備する。以下、屋外装置１をＯＤＵ１と称し、屋内装置２をＩＤＵ２と称する。衛星２０が複数存在する場合、各ＯＤＵ１は、衛星回線３０を介して各衛星２０に接続される。ＩＤＵ２は、通信回線１０を介して各ＯＤＵ１と接続され（組合され）、各ＯＤＵ１と電力の送受信を行う。本発明では、ＩＤＵ２が各ＯＤＵ１に電力（送信電力）を送信する過程についてのみ説明し、その他の過程についての説明は省略する。
【００２１】
図２は、第１実施形態の衛星通信方式におけるＩＤＵ２の構成を示す。ＩＤＵ２は、補正データ格納部４とＣＰＵ５と送信データ入力端６と変調部７とレベル制御部８とを備えている。変調部７は、送信データ入力端６とＣＰＵ５に接続されている。ＣＰＵ５は補正データ格納部４に接続されている。レベル制御部８は、変調部７とＣＰＵ５とに接続されている。ＣＰＵ５は、選択部１１と算出部１２とを有する。
【００２２】
レベル制御部８は、通信回線１０を介して各ＯＤＵ１に接続される。各ＯＤＵ１は、衛星回線３０を介して各衛星２０と通信するためのアンテナ９を有する。ＩＤＵ２が各ＯＤＵ１に電力を送信する過程では、このアンテナ９は、送信データ出力端として使われる（以下、送信データ出力端９と称する）。
【００２３】
この各ＯＤＵ１は、ＩＤＵ２からの送信電力のレベルを周波数に変換し、且つ固定の利得（ゲイン）で増幅して、送信データ出力端９を介して各衛星２０に送信（出力）するものである。このゲインは、衛星２０に送信するときの周波数により決定されるため、全ての周波数で安定した出力を得るには、その周波数を把握し、ＩＤＵ２からの送信電力のレベルを補正（調整）する必要がある。
【００２４】
そこで、各衛星２０によって周波数、送信電力のレベルが異なるため、ＩＤＵ２と各ＯＤＵ１との組合せを行う前に、各ＯＤＵ１の単体試験を予めに行い、その試験の結果として、ＯＤＵ１毎の周波数、送信電力のレベルを取得しておく。取得したＯＤＵ１毎の周波数、送信電力のレベルのそれぞれをそれぞれ設定周波数、設定レベルとし、設定周波数と設定レベルとを対応付ける補正データ３（周波数−送信電力のレベルの特性）をＩＤＵ２の補正データ格納部４に格納しておく。このように、補正データ格納部４には、補正データ３が複数格納される（ＯＤＵ１毎の補正データ３が格納される）。
【００２５】
次に、第１実施形態の衛星通信方式の動作について図２を参照して説明する。ＣＰＵ５には、外部からの周波数を表す周波数情報が入力される。
【００２６】
ＩＤＵ２において、変調部７は、送信データ入力端６に入力された送信データをＯＤＵ１に送信するための送信電力のレベルを変調する。ＣＰＵ５（選択部１１）は、周波数を表す周波数情報から、補正データ格納部４を参照して複数の補正データ３のうちの１つを選択する。
【００２７】
ＣＰＵ５（算出部１２）は、変調部７により変調されたレベルを選択部１１により選択された補正データ３の設定レベルに調整するための調整値を算出する。
【００２８】
ここで、変調部７により変調されたレベルが、選択部１１により選択された補正データ３の設定レベルよりも低いとき、算出部１２は、変調部７により変調されたレベルが、選択部１１により選択された補正データ３の設定レベルになるように、変調部７により変調されたレベルに加算するための調整値を算出する。
【００２９】
また、変調部７により変調されたレベルが、選択部１１により選択された補正データ３の設定レベルよりも高いとき、算出部１２は、変調部７により変調されたレベルが、選択部１１により選択された補正データ３の設定レベルになるように、変調部７により変調されたレベルから減算するための調整値を算出する。
【００３０】
レベル制御部８は、調整値に基づいて、変調部７により変調されたレベルを調整してＯＤＵ１に送信する。これにより、ＯＤＵ１は、レベル制御部８からの送信電力のレベルを周波数に変換して送信データ出力端９を介して衛星２０に送信し、送信データ出力端９において、安定したレベルの変調波を得ることができる。
【００３１】
第１実施形態の衛星通信方式では、ＩＤＵ２が、補正データ３を基に各ＯＤＵ１に送信（出力）するレベルを補正（調整）することができる。このため、第１実施形態の衛星通信方式では、ＩＤＵ２と各ＯＤＵ１とを組合せて全てのデータ｛周波数（設定周波数）、送信電力のレベル（設定レベル）｝を取得するための組合せ作業を行う必要がない。したがって、第１実施形態の衛星通信方式では、各ＯＤＵ１の単体試験で設定周波数、設定レベルを取得するだけでよく、組合せ作業を行うことなく、送信電力のレベルを補正（調整）することができる。
【００３２】
また、第１実施形態の衛星通信方式では、ＩＤＵ２と各ＯＤＵ１とを組合せて全てのデータ｛周波数（設定周波数）、送信電力のレベル（設定レベル）｝を取得する必要がなく、各ＯＤＵ１の単体試験で設定周波数、設定レベルを取得するだけでよいため、作業コストを低減することができる。
【００３３】
また、第１実施形態の衛星通信方式では、補正データ３がＩＤＵ２の補正データ格納部４に格納され、ＩＤＵ２が補正データ３を基に各ＯＤＵ１に送信（出力）するレベルを補正（調整）するため、従来のようなハード構成（出力レベル補正回路、設定値通知機能、等）が不要になる。このため、第１実施形態の衛星通信方式では、ＯＤＵ１とＩＤＵ２とを作製するための装置コストを低減することができる。
【００３４】
（第２実施形態）
第１実施形態では、補正データ格納部４がＩＤＵ２内に設けられているが、本発明の第２実施形態の衛星通信方式として、補正データ格納部４を記憶装置４としてＩＤＵ２の外部に設けてもよい。この場合、図３に示されるように、第２実施形態の衛星通信方式は、ＯＤＵ１とＩＤＵ２と記憶装置４とを具備する。ＯＤＵ１とＩＤＵ２とは、通信回線１０を介して接続されている。ＩＤＵ２は、記憶装置４に接続されている。
【００３５】
また、この場合、図４に示されるように、ＩＤＵ２は、ＣＰＵ５と送信データ入力端６と変調部７とレベル制御部８とを備えている。変調部７は、送信データ入力端６とＣＰＵ５に接続されている。ＣＰＵ５は記憶装置４に接続されている。レベル制御部８は、変調部７とＣＰＵ５とに接続されている。ＣＰＵ５は、選択部１１と算出部１２とを有する。レベル制御部８は、通信回線１０を介して各ＯＤＵ１に接続される。各ＯＤＵ１は、衛星回線３０を介して各衛星２０と通信するためのアンテナ（送信データ出力端）９を有する。
【００３６】
この場合でも、各衛星２０によって周波数、送信電力のレベルが異なるため、ＩＤＵ２と各ＯＤＵ１との組合せを行う前に（ＩＤＵ２と各ＯＤＵ１とを設置する前に）、各ＯＤＵ１の単体試験を予めに行い、その試験の結果として、ＯＤＵ１毎の周波数、送信電力のレベルを取得しておく。取得したＯＤＵ１毎の周波数、送信電力のレベルのそれぞれをそれぞれ設定周波数、設定レベルとし、設定周波数と設定レベルとを対応付ける補正データ３（周波数−送信電力のレベルの特性）を記憶装置４に格納しておく。このように、記憶装置４には、補正データ３が複数格納される（ＯＤＵ１毎の補正データ３が格納される）。
【００３７】
第２実施形態の衛星通信方式では、補正データ格納部４を記憶装置４に置きかえればよく、第２実施形態の動作や効果については、第１実施形態と同様である。
【００３８】
【発明の効果】
本発明の衛星通信方式は、組合せ作業を行うことなく、送信電力のレベルを補正（調整）することができる。
本発明の衛星通信方式は、作業コストを低減することができる
本発明の衛星通信方式は、装置コストを低減することができる。
【図面の簡単な説明】
【図１】図１は、本発明の第１実施形態の衛星通信方式の構成を示す。
【図２】図２は、本発明の第１実施形態の衛星通信方式における屋内装置（ＩＤＵ）の構成を示す。
【図３】図３は、本発明の第２実施形態の衛星通信方式の構成を示す。
【図４】図４は、本発明の第２実施形態の衛星通信方式における屋内装置（ＩＤＵ）の構成を示す。
【符号の説明】
１　　屋外装置（Ｏｕｔ　Ｄｏｏｒ　Ｕｎｉｔ）
２　　屋内装置（Ｉｎ　Ｄｏｏｒ　Ｕｎｉｔ）
３　　補正データ
４　　補正データ格納部、記憶装置
５　　ＣＰＵ
６　　送信データ入力端
７　　変調部
８　　レベル制御部
９　　送信データ出力端（アンテナ）
１０　　通信回線
１１　　選択部
１２　　算出部
２０　　衛星
３０　　衛星回線
【図１】
2004120266.tif 000003
【図２】
2004120266.tif 000004
【図３】
2004120266.tif 000005
【図４】
2004120266.tif 000006